【手続補正書】
【提出日】令和1年11月14日(2019.11.14)
【手続補正１】
【補正対象書類名】明細書
【補正対象項目名】００６９
【補正方法】変更
【補正の内容】
【００６９】
硬化後、実施例を構造用接着フィルムの分野の熟練者が視覚的に検査し、硬化後の構造用接着フィルムの視覚的外観が評価された。比較例（多孔質層のない接着剤）は、表面に気泡がある状態で硬化した後にフィルムが得られた。実施例１では、オーブン内で成形できなかったメッシュが硬化後に現れる。したがって、硬化した接着剤は、フィルムとパネルとの間に間隙を呈する。実施例２に係る構造用接着フィルムは、実施例１と同じ挙動を示す。実施例３に係る構造用接着フィルムは、硬化後に良好な外観を呈した。多孔質層は接着剤を吸収した。ワイプ上に、保持されていない十分な遊離した接着剤があり、それが流動してパネルの縁部を覆うことができた（重力及び毛細管現象による）。実施例４及び５は、視覚的外観に関して、実施例３と同じ良好な結果を示した。
【表３】
2019502774.tif 000001
以下、本件発明の実施態様について例示する。
［１］
構造用接着フィルムの使用であって、前記構造用接着フィルムは、パネル間のヘムフランジ接続部を接合して封止するためのものであり、
少なくとも１つの接着剤層と、
多孔性構造を有する少なくとも１つの層と、を含み、
前記接着剤層は、エポキシ化合物並びにエポキシ硬化剤を含む、構造用接着フィルムの使用。
［２］
前記少なくとも１つの接着剤層は、エポキシ化合物と、エポキシ硬化剤と、熱可塑性樹脂と、任意選択的に強靭化剤と、を含む、［１］に記載の構造用接着フィルムの使用。
［３］
前記少なくとも１つの接着剤層は、エポキシ化合物と、熱可塑性樹脂と、エポキシ硬化剤と、更に、少なくとも１つのエポキシ部分及び少なくとも１つの直鎖若しくは分岐アルキル基を含む少なくとも１つの成分及び／又は少なくとも１つの鉱物充填剤と、を含み、前記少なくとも１つの鉱物充填剤は水を吸収することができる、［１］又は［２］に記載の構造用接着フィルムの使用。
［４］
前記少なくとも１つの接着剤層は、エポキシ化合物と、エポキシ硬化剤と、アクリル系ポリマーと、を含む、［１］に記載の構造用接着フィルムの使用。
［５］
前記少なくとも１つの接着剤層は、強靭化剤及び／又は発泡剤を更に含む、［１］〜［４］のいずれか一項に記載の構造用接着フィルムの使用。
［６］
前記多孔質層は、織布又は編物又は不織布から選択される、［１］〜［５］のいずれか一項に記載の構造用接着フィルムの使用。
［７］
前記多孔質層は、スパンレース布地又は水流交絡布地である、［１］〜［６］のいずれか一項に記載の構造用接着フィルムの使用。
［８］
前記多孔質層は、綿、ガラス、ポリエステル、ポリアミド、ポリプロピレン、カーバイド又はアラミド繊維又は金属又はそれらの組み合わせに由来するものである、［１］〜［７］のいずれか一項に記載の構造用接着フィルムの使用。
［９］
前記多孔質層は、０．０５〜０．６ｍｍの範囲内の厚さを備える、［１］〜［８］のいずれか一項に記載の構造用接着フィルムの使用。
［１０］
前記多孔質層は、５〜２００ｇ／ｍ２、好ましくは３０〜１００ｇ／ｍ２の範囲内の面積重量を備える、［１］〜［９］のいずれか一項に記載の構造用接着フィルムの使用。
［１１］
前記多孔質層は、ＩＳＯ  １３９，２ｎｄ  ｅｄｉｔｉｏｎ，２００５−０１−１５に従って測定された１０００〜７０００Ｌ／ｍ２／ｓの範囲内の気孔率を備える、［１］〜［１０］のいずれか一項に記載の構造用接着フィルムの使用。
［１２］
未硬化の前記フィルムにおいて、前記接着剤層は、前記多孔質層の片面又は両面に配置されている、［１］〜［１１］のいずれか一項に記載の構造用接着フィルムの使用。
［１３］
未硬化の前記フィルムにおいて、前記多孔質層は前記接着剤層の全幅に沿って延びているか、又は前記接着剤層の幅は前記多孔質層の幅よりも大きい、［１］〜［１２］のいずれか一項に記載の構造用接着フィルムの使用。
［１４］
未硬化の前記フィルムにおいて、前記接着剤層は、前記多孔質層の片面に配置された２つの部分に分割されている、［１］〜［１３］のいずれか一項に記載の構造用接着フィルムの使用。
［１５］
パネルを接合して封止する方法であって、
第１の金属パネル及び第２の金属パネルを準備する工程と、
少なくとも１つの接着剤層と、多孔性構造を有する少なくとも１つの層と、を含む構造用接着フィルムを準備する工程であって、前記接着剤層は、エポキシ化合物並びにエポキシ硬化剤を含む、工程と、
前記構造用接着フィルムを前記第１のパネル又は前記第２の金属パネルのいずれかのフランジ部分に適用する工程と、
前記第１の金属パネル又は前記第２の金属パネルのいずれかを、対応する他方のパネルの前記フランジ部分の上に曲げ、それによって、前記構造用接着フィルムを２つのパネルの間に配置し、内側のパネルの前記フランジ部分を覆う工程と、
前記構造用接着フィルムの活性化温度より高温でパネルアセンブリを加熱する工程と、を含む、方法。
【手続補正２】
【補正対象書類名】特許請求の範囲
【補正対象項目名】全文
【補正方法】変更
【補正の内容】
【特許請求の範囲】
【請求項１】
構造用接着フィルムにより接合して封止された、パネル間のヘムフランジ接続部であって、前記構造用接着フィルムは、
少なくとも１つの接着剤層と、
多孔性構造を有する少なくとも１つの層と、を含み、
前記接着剤層は、エポキシ化合物並びにエポキシ硬化剤を含む、パネル間のヘムフランジ接続部。
【請求項２】
前記少なくとも１つの接着剤層は、エポキシ化合物と、エポキシ硬化剤と、熱可塑性樹脂と、任意選択的に強靭化剤および／または発泡剤と、を含む、請求項１に記載の、パネル間のヘムフランジ接続部。
【請求項３】
前記少なくとも１つの接着剤層は、エポキシ化合物と、熱可塑性樹脂と、エポキシ硬化剤と、更に、少なくとも１つのエポキシ部分及び少なくとも１つの直鎖若しくは分岐アルキル基を含む少なくとも１つの成分及び／又は少なくとも１つの鉱物充填剤と、を含み、前記少なくとも１つの鉱物充填剤は水を吸収することができる、請求項１又は２に記載の、パネル間のヘムフランジ接続部。
【請求項４】
前記多孔性構造は、織布又は編物又は不織布又はスパンレース布地又は水流交絡布地から選択される、請求項１〜３のいずれか一項に記載の、パネル間のヘムフランジ接続部。
【請求項５】
前記多孔性構造は、綿、ガラス、ポリエステル、ポリアミド、ポリプロピレン、カーバイド又はアラミド繊維又は金属又はそれらの組み合わせに由来するものである、請求項１〜４のいずれか一項に記載の、パネル間のヘムフランジ接続部。
【請求項６】
前記多孔性構造を有する層は、０．０５〜０．６ｍｍの範囲内の厚さを備え、かつ、５〜２００ｇ／ｍ２の範囲内の面積重量を備える、請求項１〜５のいずれか一項に記載の、パネル間のヘムフランジ接続部。
【請求項７】
前記多孔性構造は、ＩＳＯ  １３９，２ｎｄ  ｅｄｉｔｉｏｎ，２００５−０１−１５に従って測定された１０００〜７０００Ｌ／ｍ２／ｓの範囲内の気孔率を備える、請求項１〜６のいずれか一項に記載の、パネル間のヘムフランジ接続部。
【請求項８】
未硬化の前記フィルムにおいて、前記接着剤層は、前記多孔性構造を有する層の片面又は両面に配置されている、請求項１〜１１のいずれか一項に記載の、パネル間のヘムフランジ接続部。
【請求項９】
未硬化の前記フィルムにおいて、前記接着剤層は、前記多孔性構造を有する層の片面に配置された２つの部分に分割されている、請求項１〜１３のいずれか一項に記載の、パネル間のヘムフランジ接続部。
【請求項１０】
パネルを接合して封止する方法であって、
第１の金属パネル及び第２の金属パネルを準備する工程と、
少なくとも１つの接着剤層と、多孔性構造を有する少なくとも１つの層と、を含む構造用接着フィルムを準備する工程であって、前記接着剤層は、エポキシ化合物並びにエポキシ硬化剤を含む、工程と、
前記構造用接着フィルムを前記第１のパネル又は前記第２の金属パネルのいずれかのフランジ部分に適用する工程と、
前記第１の金属パネル又は前記第２の金属パネルのいずれかを、対応する他方のパネルの前記フランジ部分の上に曲げ、それによって、前記構造用接着フィルムを２つのパネルの間に配置し、内側のパネルの前記フランジ部分を覆う工程と、
前記構造用接着フィルムの活性化温度より高温でパネルアセンブリを加熱する工程と、を含む、方法。